(57)【要約】【課題】トイレで酸素富化空気を効率よく取り出し窒素富化空気の排出を効果的に行うトイレ装置を提供することを目的とする。【解決手段】トイレ内に設置した便器１と、トイレには空気中の酸素濃度より高濃度の酸素を供給する酸素富化手段８を設け、酸素富化手段８は窒素リッチ空気を排気する排気ダクト１０を有し、排気ダクト１０は便器１の排水部１１と連通してある。これにより、窒素富化空気の排出を効果的に行うことができ、酸素リッチな空気のみを供給し快適なトイレ空間を得ることができる。【選択図】図１
2005139718.tif 000002
【特許請求の範囲】
【請求項１】
トイレ内に設置した便器と、空気中の酸素濃度より高濃度の酸素を供給する酸素富化手段とを備え、前記酸素富化手段には窒素リッチ空気を排気する排気ダクトを有し、前記排気ダクトは前記便器の排水部と連通してなるトイレ装置。
【請求項２】
酸素富化手段は、便器に載置した温水洗浄便座装置内に設けた請求項１に記載のトイレ装置。
【請求項３】
排気ダクトは、通常は水封され、運転時は窒素リッチ空気が水封部の排水側に泡となって排出される位置にある便器の排水部と連通してなる請求項１に記載のトイレ装置。
【請求項４】
排気ダクトと便器の排水部との接続部には排水部からの臭いが逆流するのを防止する開閉機構部を設けた請求項１〜３のいずれか１項に記載のトイレ装置。
【発明の詳細な説明】
【技術分野】
【０００１】
本発明は、酸素富化手段を備えたトイレ装置に関し、快適なトイレ空間に酸素リッチな空気のみを使用できるようにしたものである。
【背景技術】
【０００２】
従来、空気中の酸素濃度維持のために酸素富化手段を備えた空気調和機が提案されている（例えば、特許文献１参照）。
【特許文献１】特開昭６４-４１７３２号公報
【発明の開示】
【発明が解決しようとする課題】
【０００３】
しかしながら、前記従来の構成では、酸素富化手段が単に空気調和機と組み合わされたものであり、トイレ装置としてのものではなかった。
【０００４】
トイレでは一般的に通常の空気調和機は使われず、周りが壁で窓のない場合があったりする。したがって、酸素富化手段を設けても壁に穴をあけて発生した窒素リッチ空気をすてることはできず、また、トイレ空間に排出した場合は、酸素リッチな空気と窒素リッチな空気が混ざってしまうという課題があった。
【０００５】
本発明は、前記従来の課題を解決するもので、トイレ空間を酸素リッチな空気を確保するために、効果的に窒素リッチな空気を排出させて快適なトイレ空間を得ることができるトイレ装置を提供することを目的としている。
【課題を解決するための手段】
【０００６】
前記従来の課題を解決するために、本発明のトイレ装置は、空気中の酸素濃度より高濃度の酸素を供給する酸素富化手段を備え、酸素富化手段には窒素リッチ空気を排気する排気ダクトを有し、排気ダクトは便器の排水部と連通してなるものである。
【０００７】
これにより、窒素リッチな空気を便器の排水部に排出するようにして、酸素リッチな空気のみを供給し快適なトイレ空間を得ることができる。
【発明の効果】
【０００８】
本発明のトイレ装置は、酸素富化手段により酸素リッチな空気のみを供給し快適なトイレ空間を得ることができる。
【発明を実施するための最良の形態】
【０００９】
第１の発明は、トイレ内に設置した便器と、空気中の酸素濃度より高濃度の酸素を供給する酸素富化手段とを備え、前記酸素富化手段には窒素リッチ空気を排気する排気ダクトを有し、前記排気ダクトは前記便器の排水部と連通してなるトイレ装置とすることにより、窒素リッチな空気を便器の排水部に排出するようにして、酸素リッチな空気のみを供給し快適なトイレ空間を得ることができる。
【００１０】
第２の発明は、特に、第１の発明における酸素富化手段は、便器に載置した温水洗浄便座装置内に設けたことにより、見栄えをよくして、窒素リッチ空気を排出させ、酸素リッチな空気のみを供給し快適なトイレ空間を得ることができる。
【００１１】
第３の発明は、特に、第１の発明における排気ダクトは、通常は水封され、運転時は窒素リッチ空気が水封部の排水側に泡となって排出される位置にある便器の排水部と連通してなることにより、酸素富化手段を運転していないときは下水と連通せず、運転しているときは空気圧により泡を便器の排水側に出して窒素リッチ空気を混ざることなく排出させることができる。
【００１２】
第４の発明は、特に、第１〜第３のいずれか１つの発明における排気ダクトと便器の排水部との接続部には、排水部からの臭いが逆流するのを防止する開閉機構部を設けたことにより、開閉機構部を酸素富化手段が運転中のみ開状態にすれば、運転中は窒素リッチ空気を混ざることなく排出させることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１におけるトイレ装置を示したものである。
【００１５】
図に示すように、便器１上に温水洗浄便座２が設置されている。温水洗浄便座２は本体部３を有し、後方に便器１の洗浄水を収容するロータンク４を装備している。温水洗浄便座２は、便座５とその上を覆う便蓋６を備え、それぞれ便器１上に設置された水平姿勢と本体部３前面に沿うように立てた起立姿勢との間で上下回動可能に構成されている。温水洗浄便座２は、便器１内部の後部に出退可能に配設された洗浄ノズル７を有している。
【００１６】
酸素富化手段８は、ロータンク４の上部に載置してある。この酸素富化手段８は、酸素リッチな空気を吹き出す吹き出し口９と窒素リッチな空気を排出する排気ダクト１０を有している。そして、排気ダクト１０は、便器１の排水部１１と連通している。
【００１７】
図２は、酸素富化手段８の内部構成を示している。図に示すように、酸素富化手段８は、人体検出手段１２、人体検出手段１２からの信号により酸素富化手段８を運転するための制御手段１３、制御手段１３から酸素富化ユニット１５への信号線１４、フィルター１６、真空ポンプ１７、ファン１８、酸素リッチな空気が通り吹き出し口９と連通している送風通路１９を有している。
【００１８】
図３に酸素富化ユニット１５を模式的に示しているが、上流側と下流側との間に酸素富化膜２０があり、通常の空気２１は酸素富化膜２０により、酸素リッチな空気２２と窒素リッチ２３な空気となり、酸素リッチな空気２２は吹き出し口９から吹き出し、窒素リッチな空気２３は排気ダクト１０へ排出されるものである。
【００１９】
以上のように構成されたトイレ装置について、以下その動作、作用を示す。
【００２０】
図１において、トイレに入ってきた人体を検出する人体検出手段１２からの出力によって制御手段１３は信号線１４を通じて酸素富化ユニット１５の空気を吸引する真空ポンプ１７に信号を送る。
【００２１】
真空ポンプ１７に信号が送られてきたあとは予め決められたシーケンスにより酸素富化ユニット１５の空気が酸素リッチ空気を作り出す。
【００２２】
酸素富化ユニット１５にはファン１８により送風された通常の空気２１が酸素富化膜２０に接触する。一方、下流側では真空ポンプ１７により負圧になっており、上流側の空気中の酸素と窒素の溶解速度の違いにより酸素富化膜２０中で拡散して下流側に向かい、下流側では酸素の方が多く離脱していく。これにより酸素リッチな空気が送風通路１９を通り吹き出し口９から放出される。したがって、便座５に座っている人は酸素リッチな空気２２を吸うことができ、通常の空気中よりも多くの酸素を吸うことができる。
【００２３】
次に用便が済んで使用者がトイレから出て行くと人体検知手段１２により、酸素富化手段８の作動が直ちに停止する。または、一定時間後に確実に停止する。このように使用者が必要とするときにのみ酸素富化手段８が作動するため効率的である。
【００２４】
一方、窒素リッチな空気２３は排気ダクト１０から便器１の排水部１１に連通させて、窒素リッチな空気を排出させている。これにより、窒素リッチな空気と酸素リッチな空気は混ざることがなくなる。
【００２５】
以上の構成によれば、人体を検出すると酸素富化手段８が作動し、吹き出し口９から便座５に座っている使用者の頭部付近に酸素リッチな空気が吹き出す。一方、窒素リッチな空気は排気ダクト１０から便器１の排水部１１に連通させて、窒素リッチな空気を排出させている。これにより、窒素リッチな空気と酸素リッチな空気は混ざることがなくなる。
【００２６】
なお、本実施の形態は、便器洗浄用タンク一体型の温水洗浄便座装置内に酸素富化手段８を設けた場合の説明を行ったが、温水洗浄便座を使用せずにロータンク４上に設けても、また便器１の横等に設けてもよく、便器１の排水部１１に窒素リッチな空気を排水できれば同様の効果が得られる。よって、酸素富化手段８の設置位置は限定されるものではない。
【００２７】
（実施の形態２）
図４は、本発明の実施の形態２におけるトイレ装置を示したものである。
【００２８】
図に示すように、排気ダクト１０は、便器水封部２７の排水側に接続したものである。他の構成は実施の形態１と同一である。
【００２９】
本実施の形態においては、排気ダクト１０の接続状態により、酸素富化手段８の運転が行われていないときは排気ダクト１０を閉止状態にしてある。次に酸素富化手段８が動作すると排気ダクト１０窒素リッチな空気が流れてきて、その便器水封部２７の排水側に空気の泡となって排出される。排出された泡は配管を通って下水へ流れていく。
【００３０】
便器水封部２７の排水側に設ける排気ダクト１０との接続のための開口部３０は排水側の水面近傍に設け、排気ダクト１０に流れる窒素リッチ空気の流れによりできている圧力で十分突出させるに十分な水頭にしておき、また便器面開口側への水頭は窒素リッチ空気の突出圧よりは小さくすることで排気を排水側へ持ってくるようにしてある。
【００３１】
以上のように運転の時だけ下水と連通することになり、下水のにおいが戻ってこない。
【００３２】
（実施の形態３）
本発明の実施の形態３について、図４をもとに説明する。
【００３３】
本実施の形態においては、排気ダクト１０と便器の排水部１１との接続部において、排水部１１からの臭いが逆流するのを防止する開閉機構部３２を設けてある。この開閉機構部３２は酸素富化手段８が運転中のみ開状態にするようにしてある。実施の形態２と同様、他の構成は実施の形態１と同一である。
【００３４】
ここで、開閉機構部３２は人体検知手段１２と連動しておけば、運転の時だけ下水と連通することになり、下水のにおいが戻ってこない。開閉機構部３２は窒素リッチ空気が流れることにより重力に逆らって開状態になり、流れがないときは重力により閉止するようにしてもよく、もちろん電気的な信号で開閉する機構でもよい。
【産業上の利用可能性】
【００３５】
以上のように、本発明にかかるトイレ装置は、トイレ空間を酸素リッチな快適空間とするもので、快適なトイレ装置として有用である。
【図面の簡単な説明】
【００３６】
【図１】本発明の実施の形態１におけるトイレ装置の斜視図
【図２】同トイレ装置の酸素富化手段を示す断面図
【図３】同酸素富化手段の酸素富化ユニットを模式的に示した図
【図４】本発明の実施の形態２、３におけるトイレ装置の概略構成図
【符号の説明】
【００３７】
１  便器
２  温水洗浄便座
８  酸素富化手段
１０  排気ダクト
１１  排水部
２７  便器水封部
３２  開閉器後部
【図１】
2005139718.tif 000003
【図２】
2005139718.tif 000004
【図３】
2005139718.tif 000005
【図４】
2005139718.tif 000006